(57)【特許請求の範囲】
【請求項１】
監視対象とする相互が通信回線で接続された複数の通信装置の通信回線状態に関する障害情報の内容に応じて予め作成されている、前記障害情報が示す障害箇所を推定する診断手順を順次記述した障害探索手順リストを含む記憶手段と、
受信した障害情報が、当該障害を検出した通信装置から受信した最初の障害情報または後続の障害情報かを判定し、前記最初の障害情報である場合には、前記記憶手段を検索して前記障害情報が示す障害に対応する前記障害探索手順リストを取得して前記最初の障害情報とともに出力し、前記後続の障害情報である場合には、当該後続の障害情報のみを出力する通知情報分析手段と、
前記通知情報分析手段が出力する前記最初の障害情報と前記障害探索手順リストの前記診断手順に基づいて、前記障害情報に関連する通信装置内に組み込まれているループバック部をループバック動作させるループバック指示情報を送信し、前記通知情報分析手段が出力する前記後続の障害情報と前記障害探索手順リストの前記診断手順に基づいて、前記障害情報が示す障害箇所の推定の可否を判定する障害探索手段
を備え、
前記障害探索手段は、前記障害情報が示す障害箇所の推定を否と判定した場合には、前記後続の障害情報と前記障害探索手順リストに記述された次の診断手順で指定される通信装置内に組み込まれているループバック部をループバック動作させる別のループバック指示情報を送信する
ことを特徴とする障害診断装置。
【請求項２】
前記通知情報分析手段は、前記障害情報に含まれる障害の内容を示すアラーム情報と当該障害情報の送信元通信装置の識別情報に基づいて前記記憶部を検索し、当該アラーム情報と送信元通信装置の識別情報に対応する前記障害探索手順リストを取得する障害探索手順リスト取得部を含む
ことを特徴とする請求項１に記載の障害診断装置。
【請求項３】
前記障害探索手順リストは、前記アラーム情報と前記送信元通信装置に応じて順次実行すべき診断手順を含み、当該診断手順は、前記障害情報に関連する通信装置のループバック箇所、ループバック方向、当該ループバックの結果に基づくアラームの変化状態、当該アラームの変化状態に応じて次に実行すべき診断手順、推定できる障害箇所の情報を含む
ことを特徴とする請求項１または請求項２に記載の障害診断装置。
【請求項４】
前記障害探索手段は、前記診断手順を参照して生成した、前記障害情報に関連する通信装置の識別情報、動作させるべきループバック箇所およびループバック方向の情報を含むループバック指示情報を送信するループバック指示部を含み、
前記障害情報に関連する通信装置は、前記障害情報の送信元通信装置と通信回線で接続された対向通信装置を含む
ことを特徴とする請求項３に記載の障害診断装置。
【請求項５】
請求項１乃至請求項４のいずれかの請求項に記載の前記障害診断装置と、相互が通信回線で接続された複数の通信装置を含み、
前記通信装置は、
通信回線をループバックさせる少なくとも２つのループバック部と、
前記障害診断装置と監視制御回線で接続され、通信回線状態に関する障害情報を出力し、前記障害診断装置から受信したループバック指示情報に基づいて、指定された箇所の前記ループバック部をループバック動作させる診断制御手段
を備えることを特徴とする障害診断システム。
【請求項６】
前記診断制御手段はループバックしたループバック部の当該ループバックを解除するまでのループバック時間を計時するタイマーを含み、
前記ループバック指示情報は、前記通信装置の宛先識別情報、動作させるべきループバック部とループバック方向の情報および前記ループバック時間を指定するタイマー値を含み、
前記診断制御手段は、前記ループバック指示情報の前記宛先識別情報が自装置の識別情報である場合、前記ループバック指示情報で指定されたループバック箇所を指定されたループバック方向にループバックさせ、指定された前記ループバック時間の計時が満了すると当該ループバックを解除する
ことを特徴とする請求項５に記載の障害診断システム。
【請求項７】
前記複数の通信装置は、通信回線で直列に接続された複数の通信装置であって、
前記複数の通信装置の直列接続の端部に位置する端部通信装置のみが前記障害診断装置と前記監視制御回線で接続され、
前記複数の通信装置のそれぞれは、通信回線上を流れる前記ループバック情報を抜去する抜去回路と、前記ループバック情報を通信回線上に載せる挿入回路を含む試験指示処理部を含み、
前記端部通信装置の前記診断制御手段は、前記障害診断装置から受信した前記ループバック指示情報を前記試験指示処理部の前記挿入回路から通信回線に載せて後位に接続された通信装置に送信し、
前記端部通信装置を除く前記複数の通信装置のそれぞれの前記試験指示処理部は、前位の通信装置と接続された通信回線上を流れる前記ループバック情報を前記抜去回路で抜き取り、当該ループバック情報の前記宛先識別情報が自装置の識別情報である場合、抜き取った前記ループバック情報を自装置の前記診断制御手段に送り、当該ループバック情報の前記宛先識別情報が自装置の識別情報でない場合、抜き取った前記ループバック情報を前記挿入回路から通信回線に載せて後位に接続された通信装置に送信する
ことを特徴とする請求項５または請求項６に記載の障害診断システム。
【請求項８】
監視対象とする相互が通信回線で接続された複数の通信装置の通信回線状態に関する障害情報の内容に応じて予め作成されている、前記障害情報が示す障害箇所を推定する診断手順を順次記述した障害探索手順リストを記憶し、
受信した障害情報が、当該障害を検出した通信装置から受信した最初の障害情報または後続の障害情報かを判定し、
前記最初の障害情報である場合には、前記障害情報が示す障害に対応する、記憶している前記障害探索手順リストを検索して取得し、前記最初の障害情報とともに出力し、前記後続の障害情報である場合には、当該後続の障害情報のみを出力し、
前記最初の障害情報と前記障害探索手順リストの前記診断手順に基づいて、前記障害情報に関連する通信装置内に組み込まれているループバック部をループバック動作させるループバック指示情報を送信し、
前記後続の障害情報と前記障害探索手順リストの前記診断手順に基づいて、前記障害情報が示す障害箇所の推定の可否を判定し、
前記障害情報が示す障害箇所の推定を否と判定した場合には、前記後続の障害情報と前記障害探索手順リストに記述された次の診断手順で指定される通信装置内に組み込まれているループバック部をループバック動作させる別のループバック指示情報を送信する
ことを特徴とする障害診断方法。
【請求項９】
前記障害探索手順リストの検索は、前記障害情報に含まれる障害の内容を示すアラーム情報と当該障害情報の送信元通信装置の識別情報に基づいて実行され、
前記障害探索手順リストは、前記アラーム情報と前記送信元通信装置の識別情報に応じて順次実行すべき診断手順を含み、
当該診断手順は、前記障害情報に関連する通信装置のループバック箇所、ループバック方向、当該ループバックの結果に基づくアラームの変化状態、当該アラームの変化状態に応じて次に実行すべき診断手順、推定できる障害箇所の情報を含む
ことを特徴とする請求項８に記載の障害診断方法。
【請求項１０】
前記ループバック指示情報は、前記障害情報に関連する通信装置の識別情報、動作させるべきループバック箇所およびループバック方向の情報を含み、
前記障害情報に関連する通信装置は、前記障害情報の送信元通信装置と通信回線で接続された対向通信装置を含む
ことを特徴とする請求項９に記載の障害診断方法。
【発明の詳細な説明】
【技術分野】
【０００１】
本発明は、障害診断装置、障害診断システムおよび障害診断方法に関し、特に、通信システムの回線や装置の故障を発見するための障害診断装置、障害診断システムおよび障害診断方法に関する。
【背景技術】
【０００２】
通信システムの回線や装置の故障を発見するための診断を行う技術が特許文献１乃至特許文献３に開示されている。
【０００３】
特許文献１は、中央端局と複数の無線中継局が網状に接続された多重無線通信システムで、中央端局にて複数の無線中継局を常時監視してその故障を判定する監視システムを開示する。特許文献１が開示する技術は、監視対象とする複数の無線中継局を接続した監視ルート毎に固定パターンの信号を送り、監視ルート上の各無線中継局の折り返しによりその信号の符号誤り率を中央端局で測定して、どの無線中継局の故障なのかを判定する。特許文献１では、監視回線を分岐させる場合であっても、監視ルートを構成する監視回線数を減少できることを特徴とする技術を開示する。
【０００４】
特許文献２は、加入者交換機と各加入者との間を途中に無線区間を介在させて接続するための接続手段であるＷＬＬ（Wireless Local Loop）システムとして、ＰＨＳ（Personal Handy-phone System）ネットワークを用いる技術を開示する。特許文献２には、障害の発生を極力抑えて伝送品質が高く、かつ、信頼性の高い無線基地局を実現する技術が開示されている。この技術は、外部の保守監視部からの指示で、自己セルステーション（ＣＳ）内の送信波を自己ＣＳ内の受信器側へループバックさせ、このＣＳ自身の伝送品質（フレームエラー等）の監視を運用状態で行い、自己診断を実行する構成を開示する。
【０００５】
特許文献３は、移動局が、折り返し送信手段を備えた対向する基地局に測定信号を送信し、折り返されてきた測定信号と送信した際の測定信号との相関をとって通話品質（無線回線の伝送品質：エラーレート）を測定する技術を開示する。この技術では、移動局の内部に通話路切替部を設け、通話チャネルが確立されると測定信号発生部とエラーレート測定部が接続されるように構成する。そして、基地局の内部にデータ折り返し部を設け、変復調されてチャネル分離された受信信号が所定の測定信号のときはその信号を所定のチャネルに折り返すように構成されている。移動局は、基地局から折り返されて受信した測定信号のエラーレートを測定することで、基地局との間の無線回線の伝送品質を測定することができる。
【先行技術文献】
【特許文献】
【０００６】
【特許文献１】特開昭60-019332号公報
【特許文献２】特開平10-023498号公報
【特許文献３】特開平10-098437号公報
【発明の概要】
【発明が解決しようとする課題】
【０００７】
特許文献１が開示する技術は無線中継局内での折り返しではなく、無線中継局の外側で信号を折り返している。そのため、無線中継局内の装置のどこが悪いのかという判定ができない。
【０００８】
特許文献２が開示する技術は、無線機であるＣＳの送信信号のみをループバックさせて品質チェックを行っているので、これだと装置内の前段に配備された多重化部や音声符号化部等の問題は見つけられない。また、この技術は、自局内の折り返しのみを行う技術であり、無線対向している他の装置に関する記述はなく、システム的な品質向上については考慮されていない。
【０００９】
特許文献３が開示する技術は、移動局と基地局との間の無線回線の伝送品質を測定する技術であり、無線装置内に機器故障が発生したか否かを判定することは考慮されていない。
【００１０】
本発明は、通信システム全体を考慮した障害診断、障害が発生した通信装置の判別および障害が疑われる機器の推定を行うことができる障害診断装置、障害診断システムおよび障害診断方法を提供する。
【課題を解決するための手段】
【００１１】
上記の目的を実現するために、本発明の一形態である障害診断装置は、監視対象とする相互が通信回線で接続された複数の通信装置の通信回線状態に関する障害情報の内容に応じて予め作成されている、前記障害情報が示す障害箇所を推定する診断手順を順次記述した障害探索手順リストを含む記憶手段と、受信した障害情報が、当該障害を検出した通信装置から受信した最初の障害情報または後続の障害情報かを判定し、前記最初の障害情報である場合には、前記記憶手段を検索して前記障害情報が示す障害に対応する前記障害探索手順リストを取得して前記最初の障害情報とともに出力し、前記後続の障害情報である場合には、当該後続の障害情報のみを出力する通知情報分析手段と、前記通知情報分析手段が出力する前記最初の障害情報と前記障害探索手順リストの前記診断手順に基づいて、前記障害情報に関連する通信装置内に組み込まれているループバック部をループバック動作させるループバック指示情報を送信し、前記通知情報分析手段が出力する前記後続の障害情報と前記障害探索手順リストの前記診断手順に基づいて、前記障害情報が示す障害箇所の推定の可否を判定する障害探索手段を含み、前記障害探索手段は、前記障害情報が示す障害箇所の推定を否と判定した場合には、前記後続の障害情報と前記障害探索手順リストに記述された次の診断手順で指定される通信装置内に組み込まれているループバック部をループバック動作させる別のループバック指示情報を送信することを特徴とする。
【００１２】
また、本発明の別の形態である障害診断システムは、前記障害診断装置と、相互が通信回線で接続された複数の通信装置を含み、前記通信装置は、通信回線をループバックさせる少なくとも２つのループバック部と、前記障害診断装置と監視制御回線で接続され、通信回線状態に関する障害情報を出力し、前記障害診断装置から受信したループバック指示情報に基づいて、指定された箇所の前記ループバック部をループバック動作させる診断制御手段を含むことを特徴とする。
【００１３】
また、本発明の他の形態である障害診断方法は、監視対象とする相互が通信回線で接続された複数の通信装置の通信回線状態に関する障害情報の内容に応じて予め作成されている、前記障害情報が示す障害箇所を推定する診断手順を順次記述した障害探索手順リストを記憶し、受信した障害情報が、当該障害を検出した通信装置から受信した最初の障害情報または後続の障害情報かを判定し、前記最初の障害情報である場合には、前記障害情報が示す障害に対応する、記憶している前記障害探索手順リストを検索して取得し、前記最初の障害情報とともに出力し、前記後続の障害情報である場合には、当該後続の障害情報のみを出力し、前記最初の障害情報と前記障害探索手順リストの前記診断手順に基づいて、前記障害情報に関連する通信装置内に組み込まれているループバック部をループバック動作させるループバック指示情報を送信し、前記後続の障害情報と前記障害探索手順リストの前記診断手順に基づいて、前記障害情報が示す障害箇所の推定の可否を判定し、前記障害情報が示す障害箇所の推定を否と判定した場合には、前記後続の障害情報と前記障害探索手順リストに記述された次の診断手順で指定される通信装置内に組み込まれているループバック部をループバック動作させる別のループバック指示情報を送信することを特徴とする。
【発明の効果】
【００１４】
本発明は、通信システム全体を考慮した障害診断、障害が発生した通信装置の判別および障害が疑われる機器の推定を行うことができる。
【図面の簡単な説明】
【００１５】
【図１】本発明の第１の実施形態の障害診断装置の構成を例示するブロック図である。
【図２】本発明の第１の実施形態の障害診断システムの構成を例示するブロック図である。
【図３】本発明の第１の実施形態の障害診断方法の動作を例示するフロー図である。
【図４】本発明の第２の実施形態の障害診断システムの構成を例示するブロック図である。
【図５】本発明の第２の実施形態の障害診断装置の構成を例示するブロック図である。
【図６】障害探索手順リストの参照原理を説明する図である。
【図７】本発明の第２の実施形態の障害診断装置の動作を例示するフロー図である。
【図８】本発明の第２の実施形態の通信装置の構成を例示するブロック図である。
【図９】通信装置内のループバック部の構成を例示するブロック図である。
【図１０】本発明の第２の実施形態の障害診断システムの関連装置間での動作を例示するシーケンス図である。
【図１１】図１０のシーケンス図の続きの動作を示すシーケンス図である。
【図１２】本発明の第３の実施形態の障害診断システムの構成を例示するブロック図である。
【図１３】本発明の第３の実施形態の通信装置の構成を例示するブロック図である。
【図１４】通信装置内の試験指示処理部の構成を例示するブロック図である。
【発明を実施するための形態】
【００１６】
本発明を実施するための形態について以下に図面を参照して詳細に説明する。
【００１７】
なお、実施の形態は例示であり、開示の装置及び方法は、以下の実施の形態の構成には限定されない。また、図に付した参照符号は理解を助けるための一例として便宜上付記したものであり、なんらの限定を意図するものではない。
【００１８】
（第１の実施形態）
第１の実施形態を図１乃至図３を参照して説明する。
【００１９】
図１は、本発明の第１の実施形態の障害診断装置の構成を例示するブロック図である。なお、図面中の矢印の向きは、一例を示すものであり、ブロック間の信号の向きを限定するものではない。
【００２０】
第１の実施形態の障害診断装置１０は、障害探索手順リストを記憶する記憶手段１１、通知情報分析手段１２および障害探索手段１３を含む構成になっている。
【００２１】
障害探索手順リストは、監視対象とする相互が通信回線で接続された複数の通信装置の通信回線状態に関する障害情報の内容に応じて予め作成されている、障害情報が示す障害箇所を推定する診断手順を順次記述したものである。
【００２２】
通知情報分析手段１２は、受信した障害情報が、当該障害を検出した通信装置から受信した最初の障害情報または後続の障害情報かを判定する。そして、最初の障害情報である場合には、記憶手段１１を検索してその障害情報が示す障害に対応する障害探索手順リストを取得して最初の障害情報とともに出力し、後続の障害情報である場合には、当該後続の障害情報のみを出力する。
【００２３】
障害探索手段１３は、通知情報分析手段１２が出力する前記の最初の障害情報と障害探索手順リストの診断手順に基づいて、障害情報に関連する通信装置内に組み込まれているループバック部をループバック動作させるループバック指示情報を送信する。
【００２４】
また、障害探索手段１３は、通知情報分析手段１２が出力する前記の後続の障害情報と既に取得した障害探索手順リストの診断手順に基づいて、障害情報が示す障害箇所の推定の可否を判定する。
【００２５】
更に、障害探索手段１３は、障害情報が示す障害箇所の推定を否と判定した場合には、後続の障害情報と障害探索手順リストに記述された次の診断手順で指定される別のループバック指示情報を送信する。この別のループバック指示情報は、後続の障害情報と次の診断手順で指定される通信装置内に組み込まれているループバック部をループバック動作させる。
【００２６】
図２は、本発明の第１の実施形態の障害診断システムの構成を例示するブロック図である。なお、図面中の矢印の向きは、一例を示すものであり、ブロック間の信号の向きを限定するものではない。
【００２７】
第１の実施形態の障害診断システム１は、前記の障害診断装置１０と、相互が通信回線で接続された複数の通信装置２０を含んで構成される。ここでは、複数の通信装置のそれぞれは同じ構成なので、各通信装置に対しては同じ参照符号が付されている。
【００２８】
通信装置２０は、通信回線をループバックさせる少なくとも２つのループバック部２１、２２と、障害診断装置１０と監視制御回線で接続された診断制御手段２３を含む。診断制御手段２２は、通信回線状態に関する障害情報を出力し、障害診断装置１０から受信したループバック指示情報に基づいて、指定された箇所のループバック部２１、２２をループバック動作させる。
【００２９】
図３は、本発明の第１の実施形態の障害診断方法の動作を例示するフロー図である。
【００３０】
第１の実施形態の障害診断方法は、障害診断装置１０が次のように動作することで実現される。
【００３１】
監視対象とする相互が通信回線で接続された複数の通信装置の通信回線状態に関する通信装置の障害情報の内容に応じて予め作成されている、障害情報が示す障害箇所を推定する診断手順を順次記述した障害探索手順リストを記憶する（Ｓ１０１）。
【００３２】
受信した障害情報が、当該障害を検出した通信装置から受信した最初の障害情報または後続の障害情報かを判定する（Ｓ１０２）。
【００３３】
最初の障害情報である場合には、その障害情報が示す障害に対応する、記憶している障害探索手順リストを検索して取得し、その最初の障害情報とともに出力する。一方、後続の障害情報である場合には、当該後続の障害情報のみを出力する（Ｓ１０３）。
【００３４】
最初の障害情報と障害探索手順リストの診断手順に基づいて、障害情報に関連する通信装置内に組み込まれているループバック部をループバック動作させるループバック指示情報を送信する（Ｓ１０４）。
【００３５】
後続の障害情報と障害探索手順リストの診断手順に基づいて、障害情報が示す障害箇所の推定の可否を判定する（Ｓ１０５）。
【００３６】
障害情報が示す障害箇所の推定を否と判定した場合には、後続の障害情報と障害探索手順リストに記述された次の診断手順で指定される別のループバック指示情報を送信する。この別のループバック指示情報は、後続の障害情報と次の診断手順で指定される通信装置内に組み込まれているループバック部をループバック動作させる（Ｓ１０６）。
【００３７】
このように、本実施形態では、障害探索手順リストに、監視対象とする通信装置の障害情報の内容に応じてその障害を推定する診断手順が予め記述されている。そして、受信した障害情報に対応する診断手順で指定される通信装置内に組み込まれているループバック部をループバック動作させることで診断を行う。そのループバックの結果として後続の障害情報が通知され、その後続の障害情報と障害探索手順リストの診断手順に基づいて障害情報が示す障害箇所の推定ができる。ここで通知された後続の障害情報で障害箇所の推定ができない場合には、後続の障害情報と次の診断手順で指定される通信装置内に組み込まれているループバック部をループバック動作させた診断を行う。これらの一連の診断は、障害情報の内容に応じてその障害を推定するために実行すべき手順が記述された、障害探索手順リストの診断手順にしたがって順次実行される。
【００３８】
したがって、本実施形態では、通信システム全体を考慮した障害診断、障害が発生した通信装置の判別および障害が疑われる機器の推定を行うことができる。
【００３９】
（第２の実施形態）
次に、第２の実施形態を説明する。
【００４０】
第２の実施形態は、都市部に構築されるモバイルネットワークでの適用を想定する。本実施形態では、通信装置である無線基地局の相互間がデジタル無線回線で接続され、障害診断装置が各無線基地局を監視する構成環境を想定する。
【００４１】
なお、無線基地局を以降の説明では通信装置と称して説明する。
【００４２】
図４は、本発明の第２の実施形態の障害診断システムの構成を例示するブロック図である。
【００４３】
図４を参照して、本実施形態の障害診断システム２の構成を説明する。
【００４４】
障害診断システム２は、障害診断装置１００、障害探索手順データベース１１０、およびそれぞれが無線基地局である複数の通信装置２００、２０１、２０２、２０３を含む構成になっている。
【００４５】
各通信装置は、対向する通信装置とデジタル無線回線を通信回線として用いて接続されている。図４では、通信装置２００は通信装置２０１と対向しており、通信装置２０２は通信装置２０３と対向している構成を例示している。
【００４６】
障害診断装置１００は各通信装置と監視制御回線により接続され、各通信装置が検出した障害の発生個所を推定する障害探索を行う。障害診断装置１００は障害探索手順データベース１１０から障害探索に必要な障害探索手順リストを取得する。また、障害診断装置１００は監視制御回線を介して各通信装置と障害探索に係る情報の送受信を行う。
【００４７】
図４では、２系統の監視制御回線が設けられ、各系統の監視制御回線に通信装置２００と通信装置２０１、および通信装置２０２と通信装置２０３がそれぞれ接続される構成を示しているが、これに限ることはない。つまり、監視制御回線の系統数は任意であり、１系統の監視制御回線には、相互が通信回線で接続された複数の通信装置が接続されていれば良い。
【００４８】
障害診断装置１００は、障害の発生を検出してその障害報告を行った通信装置およびそれと対向する通信装置に対して、報告された障害の内容に従い各通信装置に具備されている、通信回線の信号をループバックさせるループバック部の制御を行う。なお、以降は、「障害報告」を「アラーム通知」、「報告された障害」を「通知されたアラーム」とも称して説明する。
【００４９】
そして、障害診断装置１００は、ループバックを実施したことによる障害の発生状況の変化（アラームの変化状態）を監視する。
【００５０】
ここでは、障害として、通信回線の異常を示す品質劣化（例えば、エラー多発）や信号断を想定する。
【００５１】
障害診断装置１００は、報告を受けた障害の内容に従い、障害探索手順データベース１１０からその障害に関する障害探索に必要な障害探索手順リストを取得する。そして、取得した障害探索手順リストに基づいて、診断対象とする通信装置のどのループバック部をループバックさせるかを判別してループバック指示を出す。
【００５２】
障害診断装置１００は、ループバック指示後のアラームの変化状態を監視し、ループバックさせたループバック部の位置やアラームの変化状態から、障害探索手順リストを参照して通信装置のどの機器に問題があるかを推定する情報を出力する。
【００５３】
障害探索手順データベース１１０は、障害の種別と障害情報の送信元の通信装置の種別に応じて、当該障害の発生個所を推定するための障害探索手順リストを蓄積している。障害探索手順リストには、その障害種別と通信装置種別に応じて順次実行すべき診断手順が記述されている。そして、診断手順には、障害情報に関連する診断対象とする通信装置、ループバック箇所とループバック方向、当該ループバックの結果に基づくアラームの変化状態、その変化状態に応じて次に実行すべき診断手順や推定できる障害箇所等が示されている。
【００５４】
なお、障害探索手順データベース１１０は、図示しない他の障害診断装置から共通的に使用されるものとして、障害診断装置１００とは別構成として図示している。しかし、小規模なシステム構成の場合には、障害探索手順データベース１１０は障害診断装置１００に含まれる構成であっても良い。
【００５５】
障害診断装置１００の構成および動作について、図５乃至図７を参照して詳細に説明する。まず、図５を参照して障害診断装置１００の構成を説明する。
【００５６】
図５は、本発明の第２の実施形態の障害診断装置の構成を例示するブロック図である。なお、図面中の矢印の向きは、一例を示すものであり、ブロック間の信号の向きを限定するものではない。
【００５７】
障害診断装置１００は、通信部１０１、通知情報分析部１０２、障害探索手順リスト取得部１０３、ループバック指示部１０４、診断実行判定部１０５および障害推定出力部１０６を含む構成になっている。
【００５８】
通信部１０１は、監視制御回線により接続された各通信装置と障害探索に係る情報の送受信を行う。
【００５９】
通信部１０１は、各通信装置からは障害情報を受信し、各通信装置にはループバック指示情報を送信する。
【００６０】
障害情報には障害の内容を示すアラーム情報やその障害を報告した通信装置を特定する送信元の通信装置の識別情報（装置識別情報）を含む。
【００６１】
また、ループバック指示情報にはループバックを指示する宛先の通信装置を特定する宛先識別情報、その通信装置のループバック箇所とループバック方向を含む。なお、各通信装置からの障害情報は、各通信装置が障害を検出して主体的に障害診断装置１００に報告する形態でも良いし、障害診断装置１００から送信されるポーリング信号に応じて障害情報を報告する形態でも良い。後者の場合は、ポーリング信号や特定の通信装置に障害情報の報告を指示する障害情報報告指示もループバック指示情報に含まれるものとする。
【００６２】
通知情報分析部１０２は、通信装置から受信した障害情報（アラーム情報と装置識別情報）を分析し、当該通信装置から受信した最初のアラーム情報か、診断制御の途中で受信した後続のアラーム情報かを判定する。
【００６３】
最初のアラーム情報の場合は、障害探索手順リストを取得するために、障害探索手順リスト取得部１０３に対して、アラーム情報と装置識別情報を通知して、それに対応する障害探索手順リストの取得指示を出す。また、診断実行判定部１０５に対しても、受信したアラーム情報と装置識別情報を通知して、障害探索手順リスト入手後に診断実行するように指示する。
【００６４】
診断制御の途中で２番目以降に受信した後続のアラーム情報は、そのまま診断実行判定部１０５に通知して、最初のアラーム情報の処理の際に取得している障害探索手順リストに基づく診断を継続するように指示する。
【００６５】
障害探索手順リスト取得部１０３は、通知情報分析部１０２の指示に基づいて、アラーム情報と装置識別情報をキーにして障害探索手順データベース１１０を検索する。障害探索手順リスト取得部１０３は、検索の結果で得られた障害探索手順リストを診断実行判定部１０５に送る。
【００６６】
診断実行判定部１０５は、障害探索手順リスト取得部１０３から障害探索手順リストを受け取ると、通知情報分析部１０２から通知されたアラーム情報と装置識別情報に基づいて、障害探索手順リストを参照して診断を実行する。
【００６７】
具体的には、診断を開始した最初の動作においては、障害探索手順リストに記述されている最初の診断手順の内容に従ったループバック指示を行うようにループバック指示部１０４に通知する。この通知のループバック指示情報には、指示の対象となる通信装置を特定する宛先識別情報、ループバックさせる箇所とループバック方向等が示されている。
【００６８】
診断開始後の２回目以降の動作において、診断実行判定部１０５には、アラーム情報として前回の動作で使用した診断手順によるループバック指示の結果に基づくアラームの変化状態が通知される。アラームの変化状態とは、当初通知されたアラームが継続しているのか、そのアラームが解消したのか、それとも別のアラームに変わったのか、というような情報を含む。
【００６９】
診断実行判定部１０５は、そのアラームの状態変化に基づく障害箇所の推定または診断の継続を判定する。診断を継続する場合には、通知されたアラームの変化状態に応じて次に用意されている診断手順で指定される通信装置のループバック部をループバック動作させるループバック指示を出す。また、判定の結果、障害箇所が推定できる場合は、推定した障害箇所の情報を障害推定出力部１０６に通知する。
【００７０】
ループバック指示部１０４は、診断実行判定部１０５からの通知に基づいて、指示された箇所のループバックを指示された方向にループバックさせる旨を指定したループバック指示情報を作成して、指示された通信装置に対して送信する。
【００７１】
障害推定出力部１０６は、診断実行判定部１０５からの通知に基づいて、推定した障害箇所の情報（障害箇所推定出力）を図示しない保守者制御卓等に送信する。
【００７２】
次に、図６を参照する。
【００７３】
図６は、障害探索手順リストの参照原理を説明する図である。なお、図６はあくまでも障害探索手順リストの参照原理を説明するものであり、実際の診断内容を示すものではない。
【００７４】
障害探索手順リストは、アラーム情報と装置識別情報に基づいて障害探索手順データベース１１０を検索して取得するものである。そして、その障害探索手順リストには、障害の発生個所を推定するために順次実行すべき診断手順が記述されている。診断手順には、診断対象とする通信装置内で動作させるループバック箇所とそのループバック動作の結果であるアラームの変化状態に基づく判定内容が示されている。なお、診断手順にはループバックさせる方向を指定する情報も含まれるが、図６の説明においては省略する。
【００７５】
図６を参照すると、この障害探索手順リストは、診断手順１、診断手順２および診断手順３で構成される例を示している。もちろん、診断手順の数はこれに限られることはなく、対象とするアラーム情報と装置識別情報に基づいて、障害探索に必要な所定の診断手順が設けられている。
【００７６】
最初に、診断手順実行番号１が指定され、診断手順１による診断が実行される。ここでは、診断対象とする通信装置のＬＢ（ループバック）１をループバックさせる指示が出される例を示している。そして、そのループバックの結果に基づくアラームの変化状態に応じた判定結果が示されている。なお、診断対象とする通信装置は、アラーム通知を行った通信装置とは限らない。通知されたアラームの内容によっては、アラーム通知を行った通信装置と通信回線で接続された対向する通信装置でもあり得る。
【００７７】
ＬＢ１のループバックの結果、アラームの変化状態としてアラームが消滅した場合には、ＬＢ１以降の機器の障害が推定されるので、診断手順実行番号２が指定され、次の診断手順２が実行される。また、ＬＢ１のループバックの結果、アラームの変化状態としてアラームが継続している場合には、当該通信装置と通信回線で接続されている前位の対向局での障害が疑える。そのため、障害推定情報として「前位対向局」を出力する。なお、ここでは、障害推定情報を出力するように説明しているが、前位対向局を診断するための診断手順が用意されていて、前位対向局の診断を実行するように制御しても良い。
【００７８】
診断手順２では、診断対象とする通信装置のＬＢ２をループバックさせる指示が出される。
【００７９】
ＬＢ２のループバックの結果、アラームの変化状態としてアラームが消滅している場合には、さらにＬＢ２以降の機器の障害が推定されるので、診断手順実行番号３が指定され、次の診断手順３が実行される。また、ＬＢ２のループバックの結果、アラームの変化状態として、消滅していたアラームが再現した場合には、ＬＢ１とＬＢ２の間に設置された機器の障害が疑える。そのため、障害推定情報として「ＬＢ１−ＬＢ２間機器」を出力する。
【００８０】
ＬＢ３のループバックの結果、アラームの変化状態としてアラームが依然として消滅している場合には、当該通信装置と通信回線で接続されている後位の対向局での障害が疑える。そのため、障害推定情報として「後位対向局」を出力する。なお、ここでは、障害推定情報を出力するように説明しているが、後位対向局を診断するための診断手順が用意されていて、後位対向局の診断を実行するように制御しても良い。また、ＬＢ３のループバックの結果、アラームの変化状態として、消滅していたアラームが再現した場合には、ＬＢ２とＬＢ３の間に設置された機器の障害が疑える。そのため、障害推定情報として「ＬＢ２−ＬＢ３間機器」を出力する。
【００８１】
以上のように、障害探索手順データベース１１０を検索して取得した障害探索手順リストの診断手順を順次参照して、ループバック試験とその結果に基づく検証が行われる。この制御は、図５に示した診断実行判定部１０５により実行される。
【００８２】
なお、各診断手順が指定する通信装置は、必ずしも前回のループバック指示で指定した通信装置と同じ通信装置とは限らない。通知されたアラームの内容や診断経過に応じて異なる通信装置が指定されることもあり得る。
【００８３】
図７は、本発明の第２の実施形態の障害診断装置の動作を例示するフロー図である。
【００８４】
図７を参照して障害診断装置１００の動作を説明する。
【００８５】
なお、第２の実施形態の障害診断方法は、障害診断装置１００が次のように動作することで実現される。
【００８６】
まず、監視の対象としている通信装置から、アラーム情報と当該通信装置の装置識別情報を受信する（Ｓ２０１）。この受信は、図５に示した通信部１０１により行われる。
【００８７】
次に、受信したアラーム情報と装置識別情報を分析する（Ｓ２０２）。この分析は、図５に示した通知情報分析部１０２により行われる。
【００８８】
ここでは、受信したアラーム情報が最初のアラーム情報なのか、それとも診断の実行途中における後続のアラーム情報なのかを判定する（Ｓ２０３）。例えば、受信したアラーム情報と装置識別情報に基づいて診断実行中フラグをセットし、後述するステップＳ２１０の障害箇所推定情報の出力で診断を終了するまで、当該フラグで診断が実行中であることを識別すれば良い。
【００８９】
最初のアラーム情報の場合は障害探索手順リストを取得する必要がある。一方、診断の実行途中における後続のアラーム情報の場合は既に障害探索手順リストは取得している。
【００９０】
そこで、最初のアラーム情報の場合（Ｓ２０３、Ｙｅｓ）は、データベース検索を行って障害探索手順リストを取得する（Ｓ２０４）。これは、図５に示した障害探索手順リスト取得部１０３が通知情報分析部１０２の指示に基づいて、受信したアラーム情報と装置識別情報を検索キーにして障害探索手順データベース１１０から取得する。このとき、取得した障害探索手順リストとともに診断手順実行番号ｎを１で初期設定して通知する（Ｓ２０５）。
【００９１】
一方、診断の実行途中における後続のアラーム情報の場合（Ｓ２０３、Ｎｏ）は、障害探索手順リストは既に取得済みなので、当該障害探索手順リストに基づく診断手順を実行する（Ｓ２０６）。障害探索手順リストに基づく診断手順は、図５の診断実行判定部１０５により、診断手順実行番号に対応する診断手順が実行される。なお、前述したステップＳ２０５の診断手順実行番号ｎを１に初期設定する動作は、障害探索手順リストを最初に受領したときに診断実行判定部１０５が行っても良い。
【００９２】
障害探索手順リストに基づく診断は、図６を参照して説明した原理の手順で、障害探索手順リストの内容に応じて順次実行される。つまり、診断開始時の動作においては、障害箇所推定可否判定（Ｓ２０７）では判定できないので（Ｓ２０７、推定否）、最初の診断手順の内容に従ってループバック指示情報を関連する通信装置に送信する（Ｓ２０８）。このとき、診断手順実行番号ｎを１加算して次の診断手順が実行されるようにする（Ｓ２０９）。
【００９３】
なお、関連する通信装置とは、診断手順に記述されている通信装置であって、前述したように必ずしもアラーム情報の送信元の通信装置とは限らない。通知されたアラームの内容に応じて、送信元の通信装置と通信回線で接続されている対向通信装置でもあり得る。
【００９４】
診断対象とする通信装置へのループバック指示情報は、図５の診断実行判定部１０５がループバック指示部１０４に指示して通信部１０１から送信される。
【００９５】
この手順によるループバックの結果に基づくアラームの変化状態が、ステップＳ２０１で受信される。その後、ステップＳ２０２、ステップＳ２０３、Ｎｏ、ステップＳ２０６を経てステップＳ２０７で判定される。前回の手順によるループバックの結果に基づくアラームの変化状態でも障害箇所推定ができない場合（Ｓ２０７、推定否）、次の診断手順に基づくループバック指示情報が、その診断手順で指定された通信装置に送信される（Ｓ２０８）。そして、診断手順実行番号ｎを１加算して次の診断手順が実行されるようにする（Ｓ２０９）。
【００９６】
なお、前述したように、診断手順で指定される通信装置は、必ずしも前回のループバック指示情報で指定した通信装置と同じ通信装置とは限らない。通知されたアラームの内容や診断経過に応じて異なる通信装置が指定されることもあり得る。
【００９７】
一方、前回の手順によるループバックの結果に基づくアラームの変化状態で障害箇所推定ができた場合（Ｓ２０７、推定可）、障害箇所推定情報を出力する（Ｓ２１０）。これは、図５の診断実行判定部１０５が障害推定出力部１０６に通知して出力する。なお、このとき、前述した診断実行中フラグはリセットされる。
【００９８】
次に、図８と図９を参照して通信装置の構成を説明する。
【００９９】
図８は、本発明の第２の実施形態の通信装置の構成を例示するブロック図である。
【０１００】
通信装置２００は、信号処理部２３０および無線送受信処理部２４０を含む無線通信装置を想定している。
【０１０１】
信号処理部２３０は、有線通信回線側と接続された図示しない対向局の通信装置との間で送受信する信号を処理する機能を有する。ここでは、有線通信回線での信号（有線回線信号）形式と装置内で使用する信号（装置内信号）形式とのフォーマット変換する機能を含む。また、無線送受信処理部２４０は、無線通信回線側と接続された図示しない対向局の通信装置との間で送受信する信号を処理する機能を有する。ここでは、装置内信号に対する無線送受信するクロックとの同期や、無線フレームとのフォーマット変換、無線回線信号を送受信する機能等を含む。
【０１０２】
有線通信回線から入力した有線回線信号は信号処理部２３０で装置内信号に変換される。そして、装置内信号は無線送受信処理部２４０で無線回線信号に変換されて無線通信回線から出力される。また、無線通信回線から入力した無線回線信号は逆の方向で処理されて有線通信回線から出力される。
【０１０３】
そして、通信装置２００は、通信装置２００の有線通信回線側にループバック部２１１、無線通信回線側にループバック部２１３、そして、信号処理部２３０と無線送受信処理部２４０の間にループバック部２１２を備える。各ループバック部は、配備された位置における信号回線の入力方向の信号を、出力方向での信号処理を行うクロックに同期させたり、アドレスを入れ換えるなどの処理を行って、出力方向の信号回線に載せ換える機能を備える。
【０１０４】
さらに、通信装置２００は、診断制御部２２０、タイマー２５０および記憶部２６０を含む構成になっている。
【０１０５】
診断制御部２２０は、図４に示すように、障害診断装置１００と監視制御回線により接続されて、障害診断装置１００との間で障害診断に関わる情報の送受信を行う。
【０１０６】
また、診断制御部２２０は、信号処理部２３０や無線送受信処理部２４０と装置内のアラーム通知回線により接続されており、信号処理部２３０や無線送受信処理部２４０のアラーム情報を収集する。診断制御部２２０は、収集したアラーム情報を記憶部２６０に蓄積しておき、障害診断装置１００からの指示に基づいて当該通信装置の装置識別情報を付して送信する。なお、この場合、障害診断装置１００からの指示に基づくことなく、自発的にアラーム情報を送信する形態であってもかまわない。
【０１０７】
さらに、診断制御部２２０は、ループバック部２１１、ループバック部２１２およびループバック部２１３のそれぞれと装置内の設定制御回線により接続されており、障害診断装置１００からの指示に基づいて、各ループバック部を動作させる。
【０１０８】
診断制御部２２０は、ループバック部にループバック指示を出してから所定時間をタイマー２５０で計時する。そして、診断制御部２２０は、所定時間が経過するとそのループバックを解除する。
【０１０９】
なお、診断制御部２２０は、障害診断装置１００からの指示に基づいて動作させた各ループバック部のループバック設定情報を記憶部２６０に保存する。記憶部２６０は不揮発性メモリで構成されており、電源が切断されても消去されないものとする。
【０１１０】
続いて、図９を参照してループバック部の構成を詳細に説明する。
【０１１１】
図９は、通信装置内のループバック部の構成を例示するブロック図である。なお、図面中の矢印の向きは、一例を示すものであり、ブロック間の信号の向きを限定するものではない。
【０１１２】
図９で説明するループバック部は図８のループバック部２１１乃至２１３を代表するものとして、参照符号２１０を付している。
【０１１３】
ループバック部２１０は、ＳＷ２１０１、ＳＷ２１０２、ＳＷ２１０３およびＳＷ２１０４を含む。ＳＷは切り替えスイッチであり、ＳＷに入出力する装置回線を切り替える。なお、この装置回線は、ループバック部の設置位置に応じて、対向する通信装置と接続する通信回線でもあり得るが、便宜上、装置回線と称して説明する。
【０１１４】
また、ループバック部２１０は、設定処理部２１０５を備える。設定処理部２１０５は、図８に示した診断制御部２２０と前述した装置内の設定制御回線で接続されている。設定処理部２１０５は、診断制御部２２０からの指示に基づいて、指定されたＳＷの切り替え設定およびその解除の設定制御信号を出力する。
【０１１５】
例えば、ＳＷ２１０１とＳＷ２１０３に切り替え設定の指示を出すことにより、ＡからＢ方向の装置回線が、ＡからＤ方向にループバック（折り返し）されるようになる。また、ＳＷ２１０２とＳＷ２１０４に切り替え設定の指示を出すことにより、ＣからＤ方向の装置回線が、ＣからＢ方向に折り返されるようになる。なお、以降は「切り替え設定の指示」を「切替指示」と称して説明する。
【０１１６】
また、図では信号を単に折り返すように示されているが、前述したように、クロック同期やアドレスを入れ換えるなどの信号折り返しに必要な処理も行われている。
【０１１７】
図８に示したループバック部２１１乃至２１３のそれぞれが上述した折り返しにより果たす役割を説明する。
【０１１８】
ループバック部２１１は、対向する通信装置と接続する有線通信回線と信号処理部２３０との間に設置されている。
【０１１９】
図９のＳＷ２１０１とＳＷ２１０３に切替指示を出すことにより、図８のループバック部２１１に入力する有線通信回線が、ループバック部２１１から出力する有線通信回線側にループバックする制御が行われる。このような折り返しは、有線通信回線から入力する方向の回線障害の診断において、当該通信装置２００の障害か、有線通信回線で対向する図示しない通信装置側での障害かを切り分ける際に実施される。有線通信回線で対向する図示しない通信装置側での障害には、当該通信装置２００と接続している有線通信回線の障害も含まれる。
【０１２０】
また、図９のＳＷ２１０２とＳＷ２１０４に切替指示を出すことにより、図８の信号処理部２３０からループバック部２１１に入力する装置回線が、ループバック部２１１から信号処理部２３０に出力する装置回線側にループバックする制御が行われる。このような折り返しは、無線通信回線から入力して有線通信回線に出力する方向の回線障害の診断において、無線送受信処理部２４０までの機器に障害が推定できず、信号処理部２３０での障害の有無推定を行う場合に実施される。
【０１２１】
ループバック部２１２は、信号処理部２３０と無線送受信処理部２４０との間に設置されている。
【０１２２】
図９のＳＷ２１０１とＳＷ２１０３に切替指示を出すことにより、図８のループバック部２１２に信号処理部２３０から入力する装置回線が、ループバック部２１２から信号処理部２３０に出力する装置回線側にループバックする制御が行われる。このような折り返しは、有線通信回線から入力して無線通信回線に出力する方向の回線障害の診断において、図示しない対向装置側や有線通信回線のケーブルでの障害が推定できず、信号処理部２３０での障害の有無推定を行う場合に実施される。
【０１２３】
また、図９のＳＷ２１０２とＳＷ２１０４に切替指示を出すことにより、図８の無線送受信処理部２４０からループバック部２１２に入力する装置回線が、ループバック部２１２から無線送受信処理部２４０に出力する装置回線側にループバックする制御が行われる。このような折り返しは、無線通信回線から入力して有線通信回線に出力する方向の回線障害の診断において、無線通信回線で対向する図示しない通信装置側での障害が推定できず、無線送受信処理部２４０での障害の有無推定を行う場合に実施される。
【０１２４】
そして、ループバック部２１３は、無線送受信処理部２４０と、対向する通信装置と接続する無線通信回線の間に設置されている。
【０１２５】
なお、図８では、ループバック部２１３が無線送受信処理部２４０と無線通信回線との間に設置されているように示されているが、当該ループバック部２１３は図示しない無線送受信装置に具備されているものとする。つまり、無線送受信装置内のＩＦ（Intermediate Frequency）信号をループバックさせるものとする。
【０１２６】
図９のＳＷ２１０１とＳＷ２１０３に切替指示を出すことにより、図８のループバック部２１３に無線送受信処理部２４０から入力する装置回線が、ループバック部２１３から無線送受信処理部２４０に出力する装置回線側にループバックする制御が行われる。このような折り返しは、無線通信回線に出力する方向の回線障害の診断において、信号処理部２３０での障害が推定できず、無線送受信処理部２４０での障害の有無推定を行う場合に実施される。
【０１２７】
また、図９のＳＷ２１０２とＳＷ２１０４に切替指示を出すことにより、図８のループバック部２１３に入力する無線通信回線が、ループバック部２１３から出力する無線通信回線側にループバックする制御が行われる。このような折り返しは、無線通信回線から入力する方向の回線障害の診断において、無線信号の伝搬環境における無線通信回線の劣化の有無推定を行う場合に実施される。
【０１２８】
以上のように、所定のループバック部に対し、所定のループバック方向を切り替え、その際にアラームが消滅するか、アラームが継続するか、それとも別のアラームが発生するかを判定することで障害箇所の機器を推定する。この制御は、前述した障害探索手順リストの診断手順に基づいて実行される。
【０１２９】
図１０は、本発明の第２の実施形態の障害診断システムの関連装置間での動作を例示するシーケンス図である。また、図１１は、図１０のシーケンス図の続きの動作を示すシーケンス図である。
【０１３０】
図１０と図１１を参照して、図４に示した障害診断システム２における障害診断の一連の動作を説明する。なお、図１０および図１１は、障害診断装置１００が通信装置２００と通信装置２０１を対象として障害診断を行う場合の動作を例示したものである。
【０１３１】
障害診断装置１００は、監視対象とする通信装置２００と通信装置２０１からのアラームを収集している。このアラーム収集は、各通信装置が自発的にアラームの発生を報告する形態であっても良いし、障害診断装置１００からのポーリングに基づいて発生しているアラームを報告する形態であっても良い。図１０、図１１の例では、障害診断装置１００からのポーリング（リクエスト）に基づいて、各通信装置がそのときのアラーム発生の有無とアラームの内容を報告（レスポンス）する形態としている（Ｓ２１１）。
【０１３２】
なお、図１０と図１１の説明においては、ポーリングや特定の通信装置に障害情報の報告を指示するリクエストおよびループバック試験指示を前述のループバック指示情報としている。また、レスポンスやループバック試験指示応答が前述の障害情報に相当する。
【０１３３】
各通信装置からの障害情報を収集した際に、通信装置２００での信号回線に関するアラーム発生を検出したとする（Ｓ２１２）。
【０１３４】
障害診断装置１００は、通知されたアラームの内容を確認し、信号回線に関するアラームであること、通信装置２００から通知されたことに基づいて前述したように障害探索手順リストを取得する。そして、取得した障害探索手順リストの診断手順の指示に基づいて以降の処理を行う。
【０１３５】
ここでは、アラームを通知した通信装置２００とその対向局である通信装置２０１に対して、順次ループバック試験を行うものとする。
【０１３６】
まず、通信装置２００の対向局である通信装置２０１に対してループバック試験を行う（Ｓ２１３）。
【０１３７】
通信装置２０１に送信されるループバック試験指示には、試験対象とする通信装置２０１の識別情報（宛先識別情報）、ループバックさせるループバック部とループバック方向の指定情報およびループバックさせている時間を指定するタイマー値を含む。この場合、図８に示した無線通信回線と対向しているループバック部２１３を、無線通信回線方向にループバックさせる指示が出される。
【０１３８】
当該指示を受けた通信装置２０１の診断制御部２２０は、指定されたループバック部２１３に対してループバック方向を指示する設定制御情報を送信する。設定制御情報を受信したループバック部２１３の設定処理部２１０５（図９参照）は、設定制御情報に基づいて、無線通信回線方向にループバックするようにループバック部内の各ＳＷを動作させる。これにより、通信装置２０１のループバック部２１３が無線通信回線を介して通信装置２００と向き合う方向に折り返される。
【０１３９】
指示されたループバック部のループバックを実施すると、通信装置２０１の診断制御部２２０は、ループバック試験指示応答を障害診断装置１００に返送する。
【０１４０】
また、このとき、診断制御部２２０は、指示されたタイマー値をタイマー２５０に設定する。タイマー２５０は、タイマー値の計時が満了するとその旨を診断制御部２２０に報告する。診断制御部２２０は、タイマー値の計時満了の報告を受けると、ループバック部２１３のループバックを解除する設定制御情報をループバック部２１３の設定処理部２１０５に送信してループバックを解除させる。
【０１４１】
なお、図７を参照して説明した障害診断装置１００の動作において、ループバック試験指示応答については言及していないが、障害診断装置１００はループバック試験指示応答から所定のタイミングの後に、ループバックが解除されることを認識する。
【０１４２】
障害診断装置１００は、通信装置２０１に対するループバック試験指示を出した後、アラーム収集のために通信装置２００に対してアラーム報告をさせる（Ｓ２１４）。
【０１４３】
このとき、ステップＳ２１４では、ループバック直後とループバック解除後の２回のアラーム報告指示が通信装置２００に対して出されるものとする。
【０１４４】
障害診断装置１００は、ステップＳ２１３のループバック試験後の、ステップＳ２１４によるアラーム収集で報告を受けたアラームの変化状態を確認する（Ｓ２１５）。
【０１４５】
このとき、ループバックの実施でアラームが解消し、ループバックが解除されたときに再度アラームが発生する場合は、信号回線をループバックしている箇所の外側にある通信装置２０１の信号回線や機器に障害が内在していると推定できる。
【０１４６】
この段階で障害箇所の推定ができる場合、障害診断装置１００は障害箇所推定情報を出力する（不図示）。
【０１４７】
一方、ループバックを実施してもアラームが継続して障害箇所の推定がまだできない場合、障害診断装置１００は、ループバック解除後の通信装置２０１に対して別のループバック部を指定して、再度のループバック試験を行う（Ｓ２１６）。
【０１４８】
このときは、図８に示した無線送受信処理部２４０と信号処理部２３０の間に設けられているループバック部２１２を、無線送受信処理部２４０の方向にループバックさせる指示が出される。当該指示を受けた通信装置２０１の診断制御部２２０は、前述したと同様の処理を実行して、指定されたループバック部２１２を通信装置２００の方向に折り返すように設定する。
【０１４９】
障害診断装置１００は、通信装置２０１に対するループバック試験指示を出した後、通信装置２００に対してアラーム報告をさせる（Ｓ２１７）。
【０１５０】
このとき、ステップＳ２１７では、ステップＳ２１４と同様にループバック直後とループバック解除後の２回のアラーム報告指示が通信装置２００に対して出されるものとする。
【０１５１】
ステップＳ２１６のループバック試験後の、ステップＳ２１７によるアラーム収集で報告を受けたアラームの変化状態を確認する（Ｓ２１８）。
【０１５２】
このときアラームが解消し、ループバック解除で再度アラームが発生する場合は、信号回線をループバックしている箇所の外側で、かつ前回の試験では問題のなかった箇所を除いた通信装置２０１の信号回線や機器に障害が内在していると推定できる。
【０１５３】
この段階で障害箇所の推定ができる場合、障害診断装置１００は障害箇所推定情報を出力する（不図示）。
【０１５４】
一方、アラームが継続して障害箇所の推定がまだできない場合、障害診断装置１００は、ループバック解除後の通信装置２０１に対して、通信装置２００から見てより外側の別のループバック部を指定して上記と同様に再度のループバック試験を行う（不図示）。
【０１５５】
通信装置２０１のループバック部に対するループバック試験で障害箇所が推定できない場合、障害診断装置１００は、通信装置２０１に対するループバック試験を終了して、通信装置２００に対してループバック試験を行う。
【０１５６】
以降の説明は、図１１を参照する。
【０１５７】
通信装置２００に対するループバック試験も上述したループバック試験と同様に行われる。
【０１５８】
障害診断装置１００は、通信装置２００に対してループバック試験を行う（Ｓ２１９）。このとき、図８に示すループバック部２１３が通信装置２００の内側（無線送受信処理部側）に折り返すようにループバック指示が出される。
【０１５９】
障害診断装置１００は、通信装置２００に対するループバック試験指示を出した後、通信装置２００に対してアラーム報告をさせる（Ｓ２２０）。
【０１６０】
このとき、ステップＳ２２０でもループバック直後とループバック解除後の２回のアラーム報告指示が通信装置２００に対して出されるものとする。
【０１６１】
ステップＳ２１９のループバック試験後の、ステップＳ２２０によるアラーム収集で報告を受けたアラームの変化状態を確認する（Ｓ２２１）。
【０１６２】
このとき、ループバックの実施でアラームが解消し、ループバックが解除されたときに再度アラームが発生する場合は、信号回線をループバックしている箇所の外側の信号回線に障害が内在していると推定できる。
【０１６３】
この段階で障害箇所の推定ができる場合、障害診断装置１００は障害箇所推定情報を出力する（不図示）。
【０１６４】
一方、アラームが継続して障害箇所の推定がまだできない場合、障害診断装置１００は、ループバック解除後の通信装置２００に対して別の箇所のループバック試験を行い、上記と同様の障害箇所の推定を行う（Ｓ２２２、Ｓ２２３、Ｓ２２４）。
【０１６５】
障害箇所の推定ができない場合は、通信装置２００に具備されている残りのループバック部をループバックさせてアラームの変化状態を確認する。
【０１６６】
通信装置２００に具備されている全てのループバック部に対するループバック試験を行っても障害箇所の推定ができる状態にならない場合は、通信装置２００と通信装置２０１の２台で組まれる無線システムには問題がないと推定する。そして、これらの通信装置の外側に接続されている装置や回線に問題があるとの推定情報を出力する。
【０１６７】
障害診断装置１００は、実施した一連のループバック試験に関する診断結果情報を出力し、保存する（Ｓ２２５）。当該診断結果情報には、発生したアラーム種別、対象とした通信装置の識別情報、実施日時、ループバック試験を実施したループバック部とループバック方向、ループバック後のアラームの変化状態、障害箇所の推定情報等を含む。
【０１６８】
出力された上記の診断結果情報は保守者に通知される。
【０１６９】
診断結果情報の通知を受けた保守者は、通知された情報を確認して、障害が推定される機器の設定等に誤りがあれば、再設定や再調整を実施する。また、設定情報に問題がなければ回路やケーブル等のハードウェア的な故障として修理や新たなカードやケーブルとの交換を実施する。このように保守者は障害箇所の推定情報を事前に取得することができるので、現場に赴いてから問題箇所の切り分けを行うという作業がなくなる。そのため、障害復旧作業の効率化と回線断時間の短縮が実現でき、システムの保守および信頼性を向上することができる。
【０１７０】
また、蓄積された診断結果情報と、保守者が実施してフィードバックした障害復旧作業情報を用いて、障害探索手順リストをより精度の高い診断手順として改版することができる。そのため、障害探索手順リストを用いた障害探索の精度を更に向上することができる。
【０１７１】
このように、本実施形態は、監視対象とする通信装置のアラームの内容に応じてその障害の発生個所を推定する診断手順が予め記述されている障害探索手順リストを用いた自動的な診断試験が行われる。障害探索手順リストには、順次実行すべき診断手順とその結果に基づくアラームの変化状態に応じて推定できる障害箇所が示されている。そして、診断手順には、ループバックさせる箇所とループバック方向、当該ループバックの結果に基づく次に実行すべき診断手順や推定できる障害箇所等が示されている。さらに、診断手順には、アラーム報告した通信装置のみならず、その通信装置と対向して接続されている通信装置も含めたループバック試験について記述されている。
【０１７２】
そのため、本実施形態では、通信システム全体を考慮した障害診断、障害が発生した通信装置の判別および障害が疑われる機器の推定を行うことができる。
【０１７３】
（第３の実施形態）
第３の実施形態は、山間のダムや島嶼等に設置された無人の無線中継局を連ねた無線中継ネットワークでの適用を想定する。本実施形態では、通信装置である無人無線中継局がデジタル無線回線で直列に接続され、障害診断装置が各無人無線中継局を監視する構成環境を想定する。
【０１７４】
なお、無線中継局を以降の説明では通信装置と称して説明する。
【０１７５】
図１２は、本発明の第３の実施形態の障害診断システムの構成を例示するブロック図である。
【０１７６】
第３の実施形態の障害診断システム３は、障害診断装置１００、障害探索手順データベース１１０、およびそれぞれが無線中継局である複数の通信装置３００、３０１、３０２、３０３を含む構成になっている。
【０１７７】
第３の実施形態の障害診断システム３における障害診断装置１００および障害探索手順データベース１１０は、図４を参照して説明した第２の実施形態の障害診断システム２の障害診断装置および障害探索手順データベースと同じである。そのため、同じ参照符号を付し、その説明を省略する。
【０１７８】
第２の実施形態の障害診断システム２では、障害診断装置１００は全ての通信装置と監視制御回線で接続されていた。それに対し、第３の実施形態の障害診断システム３では、障害診断装置１００は１台の通信装置と監視制御回線で接続されており、他の通信装置は、それぞれの通信装置を接続する通信回線を監視制御回線として用いる構成となっている。
【０１７９】
図１２では、通信装置３００が監視制御回線により障害診断装置１００と接続されている。そして、通信装置３００はデジタル無線回線で通信装置３０１と接続されている。通信装置３０１は有線通信回線で通信装置３０２に接続され、通信装置３０２はデジタル無線回線で通信装置３０３と接続されている。なお、通信装置３０１と通信装置３０２がデジタル無線回線で接続される構成になっていてもかまわない。
【０１８０】
このように、第３の実施形態の障害診断システム３は無線中継局である複数の通信装置がデジタル無線回線を通信回線に用いて順次直列に接続された一連の無線中継ネットワークの構成となっている。そして、この通信回線で直列に接続された複数の通信装置の端部に位置する通信装置３００のみが障害診断装置１００と監視制御回線で接続されている。
【０１８１】
そのため、障害診断装置１００と各通信装置との間で送受信される指示や応答の信号は、通信装置間を接続する通信回線を通じてやり取りされる。例えば、障害診断装置１００から通信装置３００に送信されるループバック指示情報には、通信装置を特定する宛先識別情報が付されている。各通信装置では、そのループバック指示情報に付された宛先識別情報を判別し、自装置宛でなければ次の通信装置に順送りする。自装置宛のループバック指示情報であればそれを取り込み、ループバック指示情報に従った制御を行う。
【０１８２】
また、各通信装置から障害診断装置１００に向かう障害情報であるアラームや各種の指示／応答信号も通信回線をとおして転送される。
【０１８３】
そのため、第３の実施形態の障害診断システム３における各通信装置は、上記を実現するための構成を含む。
【０１８４】
図１３は、本発明の第３の実施形態の通信装置の構成を例示するブロック図である。
【０１８５】
第３の実施形態の通信装置３００は、試験指示処理部３２０を含むことで、図８に示した第２の実施形態の通信装置２００と異なる。また、この試験指示処理部３２０に対する制御を行う点で、診断制御部３１０の構成も異なる。更に、アラームや各種の指示／応答信号を通信回線や通信装置内を介して送受信するため、ループバック部３１１乃至ループバック部３１３の構成も異なる。その他の構成については第２の実施形態の通信装置２００で説明した構成と同じなので、同一の参照符号を付し、その説明を省略する。
【０１８６】
本実施形態では、アラームや各種の指示／応答信号は、所定のチャンネルを用いて通信回線や通信装置内を介して障害診断装置１００と各通信装置の間で送受信される。そのため、ループバック部３１１乃至ループバック部３１３では、ループバックに際しても、アラームや各種の指示／応答信号を載せるこの所定のチャンネルの折り返しは行わないように構成されている。
【０１８７】
試験指示処理部３２０には、前位の通信装置から通信回線に載せて送られてくるループバック指示情報を抜き取る抜去回路と、そのループバック指示情報を後位の通信装置に向かう通信回線に載せる挿入回路を含む。
【０１８８】
図１４は、通信装置内の試験指示処理部３２０の構成を例示するブロック図である。なお、図面中の矢印の向きは、一例を示すものであり、ブロック間の信号の向きを限定するものではない。
【０１８９】
試験指示処理部３２０は、抜去回路３２１、抜去回路３２３、挿入回路３２２、挿入回路３２４および指示情報処理部３２５を含む構成になっている。
【０１９０】
抜去回路３２１は、図１４のＡからＢに向かう方向の装置回線上を流れるループバック指示情報を抜き取り、指示情報処理部３２５に送る。
【０１９１】
指示情報処理部３２５は、そのループバック指示情報に含まれる宛先識別情報が自局宛かどうかを判別する。その結果、自局宛であった場合は、装置内の指示制御回線を用いて、診断制御部３１０に送る。そして、診断制御部３１０は、第２の実施形態で説明したように、ループバック指示情報に基づいたループバック制御を行う。
【０１９２】
一方、ループバック指示情報に含まれる宛先識別情報が自局宛ではないと判別すると、指示情報処理部３２５は、抜き取ったループバック指示情報を挿入回路３２２からＡからＢに向かう方向の装置回線に挿入して、後位の通信装置に送る。
【０１９３】
抜去回路３２３と挿入回路３２４は、ＣからＤに向かう方向の装置回線上を流れる障害診断に関わるループバック指示情報に対して、上記と同様に抜き取りと挿入を行う回路である。
【０１９４】
また、障害診断装置１００に向かう障害情報であるアラームや各種の応答信号も上記と同様に各通信装置を中継して順送りされる。
【０１９５】
図１２乃至図１４を参照して、第３の実施形態の障害診断システム３におけるアラーム収集やループバック試験指示等のループバック指示情報の流れを説明する。
【０１９６】
図１２を参照すると、障害診断装置１００は、制御対象とする通信装置を識別する宛先識別情報を付したループバック指示情報を、監視制御回線で接続されている通信装置３００に送る。
【０１９７】
通信装置３００では、図１３に示す診断制御部３１０がそのループバック指示情報を受信する。通信装置３００の診断制御部３１０は、ループバック指示情報に付された宛先識別情報が自局宛かどうかを判別する。その結果、自局宛であった場合、第２の実施形態で説明したように、ループバック指示情報に基づいたループバック制御を行う。
【０１９８】
一方、通信装置３００の診断制御部３１０は、ループバック指示情報に含まれる宛先識別情報が自局宛ではないと判別すると、装置内の指示制御回線を用いて、そのループバック指示情報を試験指示処理部３２０に送り、後位の通信装置３０１に送り出すように動作する。
【０１９９】
通信装置３００の診断制御部３１０から試験指示処理部３２０に送られたループバック指示情報は、図１４に示す指示情報処理部３２５で受信される。そして、そのループバック指示情報は、挿入回路３２２においてＢに向かう方向の装置回線に挿入され、後位の通信装置３０１に送られる。
【０２００】
通信装置３０１では、通信回線上を流れてきたループバック指示情報が、図１３の信号処理部２３０を経て試験指示処理部３２０に入力する。通信装置３０１の試験指示処理部３２０に入力したループバック指示情報は、図１４の抜去回路３２１により抜き取られて指示情報処理部３２５に送られる。
【０２０１】
前記同様に、指示情報処理部３２５は、ループバック指示情報に含まれる宛先識別情報が自局宛であった場合は、装置内の指示制御回線を用いて、図１３の診断制御部３１０に送る。そして、診断制御部３１０は、ループバック指示情報に基づいた通信装置３０１でのループバック制御等を行う。
【０２０２】
一方、ループバック指示情報に含まれる宛先識別情報が自局宛ではない場合、指示情報処理部３２５は、抜き取ったループバック指示情報を挿入回路３２２においてＢに向かう方向の装置回線に挿入して、後位の通信装置３０２に送る。
【０２０３】
通信装置３０２においても同様の制御が行われ、ループバック指示情報に含まれる宛先識別情報が自局宛ではない場合には、ループバック指示情報を後位の通信装置３０３に送る。
【０２０４】
このように、宛先識別情報で指定された通信装置に到達するまでループバック指示情報は通信回線上を流れ続け、指定された通信装置に到達すると、その通信装置においてループバック指示情報に基づいたループバック制御等が行われる。
【０２０５】
なお、本実施形態では、通信回線や通信装置内の回線部に障害が発生した場合、当該通信装置からは障害アラームを障害診断装置１００に伝達することができない。しかし、このような場合であっても、前位の通信装置の受信部においてエラー多発や無信号のような受信異常を検出して、前位の通信装置からそのアラームを障害診断装置１００に報告することができる。
【０２０６】
例えば、図１２に示す通信装置３０２と通信装置３０３の間の無線回線や通信装置３０３においてそのような障害が発生した場合、通信装置３０２は受信部において通信装置３０３からの受信異常を検出する。そして、通信装置３０２は、そのアラームを通信装置３０１および通信装置３００を介して障害診断装置１００に報告する。
【０２０７】
この場合、診断を実行する障害診断装置１００は、第２の実施形態の図１０を参照して説明したように、通信装置３０２の後位局である通信装置３０３に対してループバック試験指示（Ｓ２１３参照）を出す。しかし、本実施形態では、このループバック試験指示は通信装置３０２で止まってしまい、通信装置３０３に伝達されない。つまり、障害診断装置１００は、ループバック試験指示に対するループバック試験指示応答を受信することができない。そのため、本実施形態の障害探索手順リストには、ループバック試験指示に対するループバック試験指示応答が所定時間経過しても受信できない場合は、通信装置３０２と通信装置３０３を接続する通信回線以降の障害を推定するという診断手順が作られている。
【０２０８】
このように、本実施形態では、障害診断装置と接続する監視制御回線を制御対象とする全ての通信装置との間に敷設できないような環境であっても、第２の実施形態で説明したような障害診断を行うことができる。そのため、山間のダムや島嶼等に設置された無人の無線中継局のように、アクセスが不便な場所に設置された通信装置の障害復旧作業においても、その効率化と回線断時間の短縮が実現でき、システムの保守および信頼性を向上することができる。
【０２０９】
以上に説明したように、本実施形態においても第２の実施形態と同様に、通信システム全体を考慮した障害診断、障害が発生した通信装置の判別および障害が疑われる機器の推定を行うことができる。
【０２１０】
なお、上記の第２の実施形態や第３の実施形態では通信装置を無線通信装置と想定して説明したが、本発明はこれらに限られることはなく有線通信回線で接続される有線通信装置で構成される通信システムにも適用することができる。
【符号の説明】
【０２１１】
１０、１００    障害診断装置
１１    記憶手段
１２    障害分析手段
１３    対処結果分析手段
２０    通信装置
２１、２２    ループバック部
２３    診断制御手段
１１０    障害探索手順データベース
２００、２０１、２０２、２０３    通信装置
１０１    通信部
１０２    通知情報分析部
１０３    障害探索手順リスト取得部
１０４    ループバック指示部
１０５    診断実行判定部
１０６    障害推定出力部
２１０、２１１、２１２、２１３    ループバック部
２２０、３１０    診断制御部
２３０    信号処理部
２４０    無線送受信処理部  
２５０    タイマー
２６０    記憶部
２１０１、２１０２、２１０３、２１０４    ＳＷ
３００、３０１、３０２、３０３    通信装置
３１１、３１２、３１３    ループバック部
３２０    試験指示処理部
３２１、３２３    抜去回路
３２２、３２４    挿入回路
３２５    指示情報処理部
【図１】
0006378235.tif 000002
【図２】
0006378235.tif 000003
【図３】
0006378235.tif 000004
【図４】
0006378235.tif 000005
【図５】
0006378235.tif 000006
【図６】
0006378235.tif 000007
【図７】
0006378235.tif 000008
【図８】
0006378235.tif 000009
【図９】
0006378235.tif 000010
【図１０】
0006378235.tif 000011
【図１１】
0006378235.tif 000012
【図１２】
0006378235.tif 000013
【図１３】
0006378235.tif 000014
【図１４】
0006378235.tif 000015